(57)【要約】【課題】ヘアキャッチャーの清掃を行うにあたり、清掃性や手間の面で使用者にとって非常に便利な排水栓装置を提供する。【解決手段】排水栓装置１は、洗面ボール１００から流れる排水の流路を内部に有する筒状の流路構成部７と、流路構成部７の内部に設けられた上下動可能な支持軸５２と、支持軸５２の上部に取付けられた前記排水の流路を開閉するための栓蓋５３と、支持軸５２が挿通される被挿通部６７を有するとともに、流路構成部７の内部に配置されたヘアキャッチャー６とを備える。被挿通部６７は、ヘアキャッチャー６の外縁に開口した形状をなしており、ヘアキャッチャー６は、前記排水の流路を開状態としたときの位置又は当該位置よりも若干だけ上方の位置に栓蓋５３を配置した状態で、支持軸５２の軸方向と交差する方向にスライド移動させられることにより、取外すことが可能に構成される。【選択図】      図５
2018168649.tif 000002
【特許請求の範囲】
【請求項１】
槽体から流れる排水の流路を内部に有する筒状の流路構成部と、
前記流路構成部の内部に設けられた、上下動可能な棒状の支持軸と、
前記支持軸の上部に取付けられた、前記排水の流路を開閉するための栓蓋と、
前記支持軸が挿通される被挿通部を有するとともに、前記流路構成部の内部に配置された、排水に含まれる異物を捕集するためのヘアキャッチャーとを備えた排水栓装置であって、
前記被挿通部は、前記ヘアキャッチャーの外縁に開口した形状をなしており、
前記ヘアキャッチャーは、前記排水の流路を開状態としたときの位置又は当該位置よりも若干だけ上方の位置に前記栓蓋を配置した状態で、前記支持軸の軸方向と交差する方向にスライド移動させられることにより、取外すことが可能に構成されていることを特徴とする排水栓装置。
【請求項２】
前記ヘアキャッチャーは、前記流路構成部の内面に形成された傾斜状又は段差状の被載置部に載置されることで、前記流路構成部の内部に配置されており、
前記ヘアキャッチャーには、前記支持軸を支え、前記支持軸の傾きを抑制する傾き抑制機能が設けられていることを特徴とする請求項１に記載の排水栓装置。
【請求項３】
前記ヘアキャッチャーには、通水用の孔部が複数貫通形成されており、
少なくとも前記排水の流路を開放した状態において、前記被挿通部のうち前記支持軸及び前記流路構成部間に位置する空間の面積が、前記各孔部の最大面積以下となるように構成されていることを特徴とする請求項１又は２に記載の排水栓装置。
【請求項４】
前記ヘアキャッチャーの外縁部分には、前記ヘアキャッチャーのスライド移動時につまみ持つための持ち手部が設けられることを特徴とする請求項１乃至３のいずれか１項に記載の排水栓装置。
【請求項５】
前記持ち手部は、前記ヘアキャッチャーを取外す際の前記ヘアキャッチャーのスライド移動方向に沿って突出した形状をなすことを特徴とする請求項４に記載の排水栓装置。
【請求項６】
前記栓蓋及び前記支持軸を備えてなる栓蓋ユニットは、上方に向けて引上げられることで、前記流路構成部内において上方へと移動可能に構成されており、
前記ヘアキャッチャーは、前記栓蓋ユニットを引き上げたときに前記栓蓋ユニットによって持ち上げられるように構成されており、
前記栓蓋ユニットを引き上げて前記ヘアキャッチャーを持ち上げること、又は、前記栓蓋ユニットを引き上げて前記ヘアキャッチャーを持ち上げた上で前記栓蓋ユニットを傾けることにより、前記流路構成部との間の距離を拡大する方向に前記持ち手部を移動させることが可能とされていることを特徴とする請求項４又は５に記載の排水栓装置。
【請求項７】
前記支持軸は、前記流路構成部の内面に寄った位置に配置されていることを特徴とする請求項１乃至６のいずれか１項に記載の排水栓装置。
【発明の詳細な説明】
【技術分野】
【０００１】
本発明は、洗面ボールや浴槽等の排水流路に設けられ、毛髪やごみ等を捕集するためのヘアキャッチャーを有してなる排水栓装置に関する。
【背景技術】
【０００２】
排水栓装置は、例えば槽体（例えば、浴槽や洗面ボールなど）からの排水の流路に設けられた栓蓋を備えており、栓蓋を上下動させることで排水の流路を開閉させるものである。
【０００３】
排水栓装置としては、槽体の底面部から下方に向けて延び、槽体からの排水の流路を構成する筒状の流路構成部と、流路構成部内の中心において上下動可能な状態で配置された棒状の支持軸と、支持軸の上端部に取付けられた栓蓋とを備えたものが知られている。また、支持軸の外周に、排水に含まれるごみや毛髪等の異物を捕集するためのヘアキャッチャーを設け、当該ヘアキャッチャーを流路構成部の内部に配置することがある。ヘアキャッチャーは、通常、その中心部を貫通する被挿通部を有しており、当該被挿通部に対し支持軸が挿通された構成となっている（例えば、特許文献１等参照）。
【０００４】
ところで、ヘアキャッチャーは、毛髪等の異物を捕集するものであり、異物を除去せずに放置すると、捕集された異物による排水阻害などが発生してしまうおそれがある。そのため、栓蓋や支持軸と比べて、日常的な（比較的高頻度での）清掃がヘアキャッチャーには必要であり、捕集された異物の除去を随時行う必要がある。一般的に、ヘアキャッチャーの清掃は、栓蓋を大きく持ち上げて、流路構成部から栓蓋、支持軸及びヘアキャッチャーを引き抜いた上で行われる。
【先行技術文献】
【特許文献】
【０００５】
【特許文献１】特開２０１６−９３７号公報
【発明の概要】
【発明が解決しようとする課題】
【０００６】
ところで、清掃性の向上という点では、ヘアキャッチャーを単独で清掃することが好ましい。しかし、ヘアキャッチャーを単独で清掃するためには、流路構成部から栓蓋、支持軸及びヘアキャッチャーを引き抜いた後に、支持軸から栓蓋を外した上で、支持軸の上端部側からヘアキャッチャーを抜き取るといった面倒な作業が必要となる。
【０００７】
一方、ヘアキャッチャーを支持軸から取外すことなく、ヘアキャッチャーの清掃を行うこととすれば、ヘアキャッチャー取外しのための面倒な作業は不要となるが、依然として栓蓋等を流路構成部から引抜くという作業が必要となる。また、ヘアキャッチャー単独の清掃ではないため、清掃時に支持軸や栓蓋が邪魔になりやすく、清掃性の向上を図ることはできない。
【０００８】
このように、ヘアキャッチャーを清掃するにあたっては、まず、ヘアキャッチャーのみならず、特に頻繁に清掃を行う必要がない栓蓋等を流路構成部から引抜くという作業が必要となる。その上で、清掃性を向上させるべくヘアキャッチャーを単独で清掃しようとすれば、ヘアキャッチャーを取外すための面倒な作業が必要となり、一方、ヘアキャッチャーを単独で清掃しないこととにすれば、ヘアキャッチャー取外しのための面倒な作業は必要なくなるが、清掃性が劣ることになる。そして、ヘアキャッチャーには日常的な清掃が必要であるため、上記のような事態が繰り返し高頻度で生じることになり、清掃の度に、手間や清掃性の面で使用者に不便を強いてしまうおそれがある。
【０００９】
本発明は、上記事情に鑑みてなされたものであり、その目的は、ヘアキャッチャーの清掃を行うにあたり、清掃性や手間の面で使用者にとって非常に便利な排水栓装置を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．槽体から流れる排水の流路を内部に有する筒状の流路構成部と、
前記流路構成部の内部に設けられた、上下動可能な棒状の支持軸と、
前記支持軸の上部に取付けられた、前記排水の流路を開閉するための栓蓋と、
前記支持軸が挿通される被挿通部を有するとともに、前記流路構成部の内部に配置された、排水に含まれる異物を捕集するためのヘアキャッチャーとを備えた排水栓装置であって、
前記被挿通部は、前記ヘアキャッチャーの外縁に開口した形状をなしており、
前記ヘアキャッチャーは、前記排水の流路を開状態としたときの位置又は当該位置よりも若干だけ上方の位置に前記栓蓋を配置した状態で、前記支持軸の軸方向と交差する方向にスライド移動させられることにより、取外すことが可能に構成されていることを特徴とする排水栓装置。
【００１２】
尚、「排水の流路を開状態としたときの位置」とあるのは、栓蓋の上下移動範囲における最上方位置又は当該最上方位置よりも僅かに下方の位置ということができる（排水の流路を開状態としたときに、栓蓋を槽体等から浮いたままの状態で維持すべく、支持軸をロックするロック機構によっては、最上方位置よりも僅かに下方に栓蓋が配置された状態で支持軸をロックすることがある）。さらに、「当該位置（排水の流路を開状態としたときの位置）よりも若干だけ上方の位置」とあるのは、例えば、排水の流路を開状態としたときの位置よりも数ｃｍ（例えば３ｃｍ以下）だけ上方の位置をいう。排水の流路を開状態としたときの位置又は当該位置よりも若干だけ上方の位置に栓蓋を配置した状態では、通常、流路構成部内にヘアキャッチャーと支持軸の大部分とが残った状態となる。
【００１３】
上記手段１によれば、排水の流路を開状態としたときの位置又は当該位置よりも若干だけ上方の位置に栓蓋を配置した状態で、支持軸の軸方向と交差する方向にヘアキャッチャーをスライド移動させることにより、被挿通部から支持軸を抜いて、ヘアキャッチャーを取外すことができる。従って、ヘアキャッチャーのみを単独で取外すにあたって、支持軸から栓蓋を取外すなどの面倒な作業は勿論、栓蓋を大きく持ち上げることで流路構成部から支持軸などを引き抜くといった作業すらも不要とすることができる。これにより、日常的なヘアキャッチャーの清掃を行うにあたって、ヘアキャッチャーのみを手間なく取外すことができ、さらに、ヘアキャッチャーを単独で清掃することができる。その結果、清掃性や手間の面における使用者にとっての利便性を著しく高めることができる。
【００１４】
手段２．前記ヘアキャッチャーは、前記流路構成部の内面に形成された傾斜状又は段差状の被載置部に載置されることで、前記流路構成部の内部に配置されており、
前記ヘアキャッチャーには、前記支持軸を支え、前記支持軸の傾きを抑制する傾き抑制機能が設けられていることを特徴とする手段１に記載の排水栓装置。
【００１５】
尚、「傾き抑制機能」は、例えば、支持軸の傾きを抑制できるように、ヘアキャッチャーにおける被挿通部を形成する部位と支持軸とを近接又は接触させた状態とすることにより実現することができる。
【００１６】
上記手段２によれば、ヘアキャッチャーは、被載置部に載置されることで水平方向に沿って容易に移動しない状態とされており、その上で、ヘアキャッチャーの有する傾き抑制機能によって、支持軸の傾きを抑制することができる。従って、排水の流路を開状態としたときに栓蓋に傾きが生じてしまうことをより確実に防止でき、良好な美観を得ることができる。また、排水の流路の開放時において、槽体等の被シール部位（槽体等のうち排水の流路の閉鎖時に栓蓋によりシールされる部位）の中心と栓蓋の中心軸との軸ずれが生じてしまうことを効果的に抑制できる。これにより、排水の流路を閉状態としたときに、被シール部位に対し栓蓋をより確実に接触させることができ、良好な水密性を得ることができる。
【００１７】
手段３．前記ヘアキャッチャーには、通水用の孔部が複数貫通形成されており、
少なくとも前記排水の流路を開放した状態において、前記被挿通部のうち前記支持軸及び前記流路構成部間に位置する空間の面積が、前記各孔部の最大面積以下となるように構成されていることを特徴とする手段１又は２に記載の排水栓装置。
【００１８】
上記手段１等においては、ヘアキャッチャーをスライド移動させることで取外可能とすべく、被挿通部は、ヘアキャッチャーの外縁に開口する形状とされている。従って、流路構成部の形状などによっては、被挿通部に支持軸を挿通した状態において、被挿通部における支持軸と流路構成部との間に、ヘアキャッチャーの異物を主として捕集する部位以外の部位に上から下に抜ける空間が形成される場合がある。このような空間が形成されてしまうと、この空間を異物が通り抜けてしまい、異物の捕集というヘアキャッチャーの機能が十分に発揮されなくなってしまうおそれがある。
【００１９】
この点、上記手段３によれば、少なくとも排水の流路を開放した状態において、被挿通部のうち支持軸及び流路構成部間に位置する空間の面積は、ヘアキャッチャーに形成された通水用の孔部の最大面積以下となるように構成されている。すなわち、仮に前記空間が形成された場合であっても、前記空間の面積は、異物捕集の阻害とならない程度に十分に小さなものとなるように構成されている。これにより、異物の捕集というヘアキャッチャーの機能を十分に効果的に発揮させることができる。
【００２０】
手段４．前記ヘアキャッチャーの外縁部分には、前記ヘアキャッチャーのスライド移動時につまみ持つための持ち手部が設けられることを特徴とする手段１乃至３のいずれかに記載の排水栓装置。
【００２１】
上記手段４によれば、持ち手部を利用することで、ヘアキャッチャーの取外しをより容易に行うことができる。そのため、使用者にとっての利便性を一層高めることができ、さらに優れた使い勝手を実現することができる。
【００２２】
手段５．前記持ち手部は、前記ヘアキャッチャーを取外す際の前記ヘアキャッチャーのスライド移動方向に沿って突出した形状をなすことを特徴とする手段４に記載の排水栓装置。
【００２３】
上記手段５によれば、持ち手部は、ヘアキャッチャーを取外す際のヘアキャッチャーのスライド移動方向に沿って突出した形状をなしている。従って、持ち手部をその突出方向に沿って引くことで、自然とヘアキャッチャーを取外すことができる。これにより、ヘアキャッチャーの取外しをより一層容易に行うことができ、利便性を一段と向上させることができる。
【００２４】
手段６．前記栓蓋及び前記支持軸を備えてなる栓蓋ユニットは、上方に向けて引上げられることで、前記流路構成部内において上方へと移動可能に構成されており、
前記ヘアキャッチャーは、前記栓蓋ユニットを引き上げたときに前記栓蓋ユニットによって持ち上げられるように構成されており、
前記栓蓋ユニットを引き上げて前記ヘアキャッチャーを持ち上げること、又は、前記栓蓋ユニットを引き上げて前記ヘアキャッチャーを持ち上げた上で前記栓蓋ユニットを傾けることにより、前記流路構成部との間の距離を拡大する方向に前記持ち手部を移動させることが可能とされていることを特徴とする手段４又は５に記載の排水栓装置。
【００２５】
上記手段６によれば、栓蓋ユニットを引き上げたり、栓蓋ユニットを引き上げた上で傾けたりすることで、流路構成部との間の距離を拡大する方向に持ち手部を移動させることができる。従って、ヘアキャッチャーを取外す際に、持ち手部をつまみ持つことが一層容易に可能となり、利便性の更なる向上を図ることができる。
【００２６】
手段７．前記支持軸は、前記流路構成部の内面に寄った位置に配置されていることを特徴とする手段１乃至６のいずれかに記載の排水栓装置。
【００２７】
上記手段７によれば、支持軸は、流路構成部の内面に寄った位置に配置されている。すなわち、支持軸は、流路構成部の中心軸から外れた偏心状態となっている。従って、ヘアキャッチャーをさほど移動させることなく、ヘアキャッチャーを取外すことができる。これにより、より優れた利便性を実現することができる。
【００２８】
また、上記手段３の構成を採用する場合には、支持軸を極端に太くしたり、厚肉にしたりせずとも、前記空間の面積を小さなものとすることができる。従って、支持軸を極端に太くすること等による流路構成部における排水性能の低下を防止して、流路構成部における排水性能を十分に良好なものとしつつ、異物の捕集というヘアキャッチャーの機能を十分に効果的に発揮させることができる。
【図面の簡単な説明】
【００２９】
【図１】流路構成部における排水の流路を閉状態としたときの排水栓装置の断面図である。
【図２】流路構成部における排水の流路を開状態としたときの排水栓装置の断面図である。
【図３】支持軸から栓蓋を外すとともに、流路構成部における排水の流路が開状態となるときの位置に支持軸を配置した状態において、排水栓装置を斜め上方から見たときの斜視図である。
【図４】図２のＪ−Ｊ線断面図である。
【図５】流路構成部における排水の流路を開状態としたときの位置よりも若干だけ上方の位置に栓蓋を配置した上で、ヘアキャッチャーをスライド移動させたときの排水栓装置の断面図である。
【発明を実施するための形態】
【００３０】
以下に、一実施形態について図面を参照しつつ説明する。図１に示すように、排水栓装置１は、槽体としての洗面ボール１００に取付けられており、排水口部材２と、排水管３と、栓蓋側駆動部４と、栓蓋ユニット５と、ヘアキャッチャー６とを備えている。
【００３１】
尚、洗面ボール１００は、その底面を構成する底面部１０１を備えており、当該底面部１０１には、下方に向けて垂下する垂下部１０２と、当該垂下部１０２の下部から内向きに突出する張出部１０３とが設けられている。垂下部１０２は、上側に向けて徐々に内径が拡大する筒状をなしている。また、張出部１０３の内側に、排水口１０４が形成されている。さらに、底面部１０１の外周には、図示しない周壁部が立設されており、当該周壁部には、水の溢れ出しを防止するための図示しないオーバーフロー口が貫通形成されている。
【００３２】
排水口部材２は、円筒状に形成されており、自身の中心軸と前記排水口１０４の中心軸とがほぼ一致するように排水口１０４に挿設されている。また、排水口部材２は、その上端部において径方向外側に突出形成された鍔部２１と、当該鍔部２１よりも下方側の外周に形成された雄ねじ部２２とを備えている。
【００３３】
排水管３は、鉛直方向に沿って延びる円筒状の本体管３１と、当該本体管３１から枝分かれした状態で延びる、それぞれ円筒状の取付管３２及び接続管３３とを備えている。
【００３４】
本体管３１は、その一端部（上端部）内周に前記雄ねじ部２２を螺合可能な雌ねじ部３１Ａを備えている。そして、鍔部２１を前記張出部１０３上に配置した状態で、雄ねじ部２２を雌ねじ部３１Ａに螺合し、鍔部２１及び排水管３の上端面により張出部１０３を挟み込むことで、排水口部材２及び排水管３が接続されるとともに、両者が洗面ボール１００に取付けられた状態となっている。
【００３５】
また、本実施形態において、排水管３の上端面と洗面ボール１００との間には、弾性変形可能な材料により形成された環状のシール部材８が介在されている。このシール部材８によって、排水管３と洗面ボール１００との間からの漏水防止が図られている。
【００３６】
尚、本実施形態では、直列的に配置された垂下部１０２、排水口部材２及び排水管３（本体管３１）によって、洗面ボール１００から流れる排水の流路を内部に有する筒状の流路構成部７が構成されている。また、本実施形態では、流路構成部７の内面のうち傾斜状をなす垂下部１０２の内面によって、ヘアキャッチャー６の載置される部位である被載置部７Ａが構成されている。
【００３７】
取付管３２は、栓蓋側駆動部４の収容部である。取付管３２は、本体管３１の外周から水平方向に突出形成され、自身の内部空間が本体管３１の内部空間に連通している。
【００３８】
接続管３３は、前記オーバーフロー口に流入した排水を流すための図示しない連結管が接続される部位である。接続管３３は、本体管３１の外周から斜め上向きに向けて突出形成され、自身の内部空間が本体管３１の内部空間に連通している。そして、前記オーバーフロー口に流入した排水は、前記連結管及び接続管３３を通って、本体管３１内へと案内されるようになっている。
【００３９】
栓蓋側駆動部４は、栓蓋ユニット５を上下動させるための機構である。栓蓋側駆動部４は、回動部４１及び支持部４２を備えている。
【００４０】
回動部４１は、取付管３２に挿設されており、自身の中心軸を回動軸として回動可能とされている。回動部４１は、図示しない伝達部材（例えば、ワイヤーなど）から加えられた駆動力により回動する。尚、前記伝達部材は、図示しない所定の操作部材（例えば、操作ボタン）の変位に伴い往復動作する。回動部４１の一端部には円板状部位が設けられており、当該円板状部位の端面は、排水管３（本体管３１）の内部空間側を向いているが、当該内部空間に配置されないように構成されている。
【００４１】
支持部４２は、円柱状をなし、排水管３（本体管３１）の内部空間に配置されている。但し、支持部４２は、比較的短いものとされており、その先端が排水管３（本体管３１）の中心軸に到達しないように構成されている。支持部４２は、回動部４１の一端面（前記円板状部位の端面）における外周寄りの部分から突出しており、回動部４１の回動に伴い上下動する。
【００４２】
栓蓋ユニット５は、流路構成部７における排水の流路の開閉を行うための部材である。栓蓋ユニット５は、通水部材５１、支持軸５２及び栓蓋５３を有している。
【００４３】
通水部材５１は、全体として円筒状をなしており、本体管３１の内周面に沿って上下動可能な状態で配置されている。通水部材５１は、下側輪状部５１Ａ、上側リング部５１Ｂ及び棒状連結部５１Ｃを備えている。
【００４４】
下側輪状部５１Ａは、外周面が排水管３（本体管３１）の内周面に沿って配置される環状部位と、当該環状部位の内側に位置する十字状部位（図４にて、ヘアキャッチャー６よりも奥に位置する部位）とを備えた形状となっている。また、下側輪状部５１Ａは、前記環状部位の下面が支持部４２に載置されることで、支持部４２によって支持されている。支持部４２の上下動に伴い、下側輪状部５１Ａひいては通水部材５１が上下動する。
【００４５】
上側リング部５１Ｂは、環状をなしており、外周面が排水管３（本体管３１）の内周面に沿って配置されている。上側リング部５１Ｂは、下側輪状部５１Ａよりも上方においてこれと間隔をあけた状態で設けられている。このように下側輪状部５１Ａ及び上側リング部５１Ｂを間隔をあけた状態で設けることにより、流路構成部７（本体管３１）に対する通水部材５１の傾き抑制が図られている。
【００４６】
棒状連結部５１Ｃは、下側輪状部５１Ａと上側リング部５１Ｂとを連結する部位であり、上側リング部５１Ｂ等の周方向に沿って等間隔に複数（本実施形態では、４本）設けられている。周方向に間隔をあけて配置された複数の棒状連結部５１Ｃにより下側輪状部５１Ａ及び上側リング部５１Ｂを連結した構成とすることで、棒状連結部５１Ｃ間の隙間から、接続管３３へと案内された排水が本体管３１内へとスムーズに流入可能となり、また、通水部材５１の外周面と流路構成部７との接触面積が小さくなり、通水部材５１が円滑に上下動可能となっている。
【００４７】
支持軸５２は、上側リング部５１Ｂから上方に延びる棒状をなしており、流路構成部７内において流路構成部７の内面に沿った位置に配置されている。支持軸５２は、その上端部が栓蓋５３の背面外周側に取付けられることで、栓蓋５３を支持している。
【００４８】
支持軸５２は、流路構成部７のうち通水面積が比較的小さな箇所に対応して配置される下側軸部５２Ａと、当該下側軸部５２Ａの上方においてこれと直列的に並んだ状態で設けられ、流路構成部７のうち通水面積が比較的大きな箇所に対応して配置される上側軸部５２Ｂとを備えている。
【００４９】
下側軸部５２Ａは、流路構成部７の周方向に沿った幅が比較的大きいものとされる一方、流路構成部７の径方向に沿った厚さが比較的小さなものとされている。つまり、下側軸部５２Ａは、比較的幅広であるものの、流路構成部７の内面から過度に突出しないように薄肉とされている。そのため、流路構成部７の通水面積を十分に確保することができるようになっている。
【００５０】
さらに、下側軸部５２Ａの上端部には、上側軸部５２Ｂの外側面から張り出した形状をなす肩部（図示せず）が設けられている。当該肩部は、平面視したときに、ヘアキャッチャー６と重なる位置に設けられており、本実施形態では、平面視したときに流路構成部７の周方向において上側軸部５２Ｂを挟む位置に一対設けられている。
【００５１】
一方、上側軸部５２Ｂは、流路構成部７の周方向に沿った幅が比較的小さい一方、流路構成部７の径方向に沿った厚さが比較的大きなものとされている。尚、支持軸５２の各部分は、厚さ及び幅のいずれか一方が比較的大きくなるように構成されているため、支持軸５２の強度を十分に確保可能となっている。
【００５２】
栓蓋５３は、樹脂等からなる円板状の栓蓋本体部５３Ａと、当該栓蓋本体部５３Ａに取付けられたパッキン部５３Ｂとを備えている。パッキン部５３Ｂは、弾性変形可能な材料（例えば、ゴムや樹脂等）によって環状に形成されており、栓蓋本体部５３Ａの背面の外周側に設けられた、外側に開口する凹部に対し嵌め込まれた状態とされている。
【００５３】
本実施形態では、支持部４２の上動に伴い、栓蓋ユニット５が上動し、パッキン部５３Ｂが底面部１０１から離間することで、流路構成部７における排水の流路が開状態とされる（図２参照）。一方、支持部４２の下動に伴い、栓蓋ユニット５が下動し、パッキン部５３Ｂの外周部分全域が底面部１０１（垂下部１０２）における所定の被シール部位に接触することで、流路構成部７における排水の流路が閉状態とされる。
【００５４】
尚、排水の流路が閉状態とされ、支持部４２が最も下方に配置された状態では、支持部４２から通水部材５１（下側輪状部５１Ａ）が浮いた状態となるように構成してもよい。この場合には、排水の流路を閉状態としたときにおいて、パッキン部５３Ｂをより確実に底面部１０１へと接触させることができ、良好な水密性を得ることが可能となる。
【００５５】
また、本実施形態において、栓蓋ユニット５は、洗面ボール１００の表側から上方に向けて引上げられることで、流路構成部７内にて上方へと移動可能となっている。そして、流路構成部７から栓蓋ユニット５を引抜くことで、流路構成部７から栓蓋ユニット５を取外すことができるようになっている。尚、栓蓋ユニット５やヘアキャッチャー６を流路構成部７から取外した状態では、流路構成部７内は、支持部４２のみが僅かに突出した状態となる。そのため、メンテナンス性や清掃性の向上を図ることが可能となっている。
【００５６】
ヘアキャッチャー６は、流路構成部７の内部に配置されており、排水に含まれるごみや毛髪等の異物を捕集するためのものである。ヘアキャッチャー６は、自身の外縁部分が流路構成部７の前記被載置部７Ａへと載置されることで、流路構成部７内に配置されている。
【００５７】
ヘアキャッチャー６は、図３及び図４（図４は、図２のＪ−Ｊ線断面図である）に示すように、底壁部６１、外壁部６２及び持ち手部６４を備えている。
【００５８】
底壁部６１は、異物の捕集を主として行う部位であり、通水用の孔部６１Ａが多数貫通形成されている。また、底壁部６１のうち、平面視したときにヘアキャッチャー６の中心から外れた所定位置には、被挿通部６７が貫通形成されている。
【００５９】
被挿通部６７は、支持軸５２が挿通される部位であり、ヘアキャッチャー６の外縁に開口する形状をなしている。さらに、被挿通部６７は、ヘアキャッチャー６の外縁側に位置する自身の開口に向けて徐々に幅が広くなる形状とされている。
【００６０】
加えて、底壁部６１のうち被挿通部６７を形成する部位は、上側軸部５２Ｂの外側面のうち背面（ヘアキャッチャー６の外縁側に位置する被挿通部６７の開口側を向き、流路構成部７の近傍に配置される面）を除いた面と接触又は近接した状態となるように、その大きさや形状が設定されている。これにより、栓蓋ユニット５を上下動させて排水の流路を開閉させる際に、ヘアキャッチャー６によって支持軸５２が支えられ、支持軸５２の傾きが抑制されるようになっている。つまり、ヘアキャッチャー６は、支持軸５２を支え、支持軸５２の傾きを抑制する傾き抑制機能を備えたものとなっている。
【００６１】
ところで、上記の通り、垂下部１０２は、その内径が上方に向けて徐々に増大する筒状であるため、少なくとも支持軸５２を上動させて排水の流路を開放した状態において、被挿通部６７には、支持軸５２と流路構成部７との間に位置する空間９（図４中、散点模様を付した空間）が形成されてしまう。しかしながら、上記の通り、支持軸５２が流路構成部７の内面に寄った位置に配置されるとともに、被挿通部６７の幅が比較的小さなものとされているため、空間９の面積（空間９を平面視したときの面積）は、各孔部６１Ａの最大面積以下と十分に小さなものとされている。
【００６２】
外壁部６２は、底壁部６１の外縁部分に立設されており、排水によって、底壁部６１に捕集された異物が流出してしまうことを防止するために設けられている。
【００６３】
持ち手部６４は、後述のようにヘアキャッチャー６をスライド移動させる際などに、使用者がつまみ持つことを想定して設けられた部位である。持ち手部６４は、ヘアキャッチャー６における被挿通部６７とは反対側に位置する外縁部分に設けられており、上方及び外側に向けて突出する形状をなしている。持ち手部６４の外側に向けた突出方向（平面視したときにおける持ち手部６４の突出方向）は、後述するヘアキャッチャー６を取外す際のヘアキャッチャー６のスライド移動方向に沿って突出した形状をなしている。
【００６４】
さらに、ヘアキャッチャー６は、栓蓋ユニット５（栓蓋５３）をさほど持ち上げることなく、支持軸５２から被挿通部６７を抜いて、流路構成部７から取外すことができるようになっている。詳述すると、図５に示すように、排水の流路を開状態としたときの位置又は当該位置よりも若干（例えば、３ｃｍ以下）だけ上方の位置（本実施形態では、排水の流路を開状態としたときの位置よりも若干だけ上方の位置）に栓蓋５３を配置した状態で、持ち手部６４をその外側に向けた突出方向に沿って引き、ヘアキャッチャー６を支持軸５２の軸方向と交差する方向（例えば、図５における矢印方向）にスライド移動させることで、被挿通部６７から支持軸５２が抜けて、流路構成部７からヘアキャッチャー６を取外すことができるようになっている。ヘアキャッチャー６は、取外される際に、流路構成部７（垂下部１０２）の傾斜状部分に沿うようにして、洗面ボール１００の表面側に向けて斜め上方に移動する。図５では、栓蓋ユニット５を、排水の流路を開状態としたときの位置（図２に示す位置）よりも１０ｍｍだけ上方に引き上げた状態を示している。
【００６５】
尚、「排水の流路を開状態としたときの位置」とあるのは、栓蓋５３の上下移動範囲における最上方位置ということができる。排水の流路を開状態としたときの位置又は当該位置よりも若干だけ上方の位置に栓蓋５３を配置した状態では、流路構成部７内にヘアキャッチャー６と支持軸５２の大部分とが残った状態となる。
【００６６】
また、「排水の流路を開状態としたときの位置又は当該位置よりも若干だけ上方の位置に栓蓋５３を配置した状態」とあるのは、栓蓋５３と流路構成部７や底面部１０１との間をヘアキャッチャー６が通過可能な程度まで栓蓋５３を持ち上げた状態ということができる。従って、例えば、排水の流路を開状態としたときにおける栓蓋５３の上下方向に沿った位置やヘアキャッチャー６のサイズなどを適宜設定することで、排水の流路を開状態としたときの位置に栓蓋５３を配置したときに、ヘアキャッチャー６をスライド移動させることで、流路構成部７からヘアキャッチャー６を取外可能に構成してもよい。
【００６７】
尚、ヘアキャッチャー６をスライド移動により取外可能とする構成は、被挿通部６７をヘアキャッチャー６の外縁に開口する形状としつつ、流路構成部７におけるヘアキャッチャー６が配置される部位の形状を適宜設定することで実現可能である。本実施形態では、被挿通部６７をヘアキャッチャー６の外縁に開口する形状としつつ、流路構成部７におけるヘアキャッチャー６の配置部分（つまり垂下部１０２）を、上方に向けて徐々に内径が増大する形状にすることで、ヘアキャッチャー６をスライド移動により取外可能とされている。
【００６８】
また、ヘアキャッチャー６は、栓蓋ユニット５を引き上げて上動させたときに、支持軸５２の前記肩部によって持ち上げられる。そして、栓蓋ユニット５を引き上げてヘアキャッチャー６を持ち上げることにより、流路構成部７との間で距離を拡大する方向に持ち手部６４が移動するようになっている。尚、栓蓋ユニット５を引き上げて上動させたときに、支持軸５２のうち流路構成部７の中心軸側を向く傾斜部が、ヘアキャッチャー６における被挿通部６７を形成する部位に接触することで、ヘアキャッチャー６が持ち上がるとともに、支持軸５２から被挿通部６７が抜ける方向（図５の右方向）にヘアキャッチャー６が移動するように構成してもよい。この場合には、持ち手部６４をより持ちやすい状態とすることができ、また、ヘアキャッチャー６が取外方向に移動するため、ヘアキャッチャー６を一層容易に取外すことが可能となる。
【００６９】
以上詳述したように、本実施形態によれば、排水の流路を開状態としたときの位置又は当該位置よりも若干だけ上方の位置に栓蓋５３を配置した状態で、支持軸５２の軸方向と交差する方向にヘアキャッチャー６をスライド移動させることにより、被挿通部６７から支持軸５２を抜いて、ヘアキャッチャー６を取外すことができる。従って、ヘアキャッチャー６のみを単独で取外すにあたって、支持軸５２から栓蓋５３を取外すなどの面倒な作業は勿論、栓蓋５３を大きく持ち上げることで流路構成部７から栓蓋ユニット５（支持軸５２など）を引き抜くといった作業すらも不要とすることができる。これにより、日常的なヘアキャッチャー６の清掃を行うにあたって、ヘアキャッチャー６のみを手間なく取外すことができ、さらに、ヘアキャッチャー６を単独で清掃することができる。その結果、清掃性や手間の面における使用者にとっての利便性を著しく高めることができる。
【００７０】
また、ヘアキャッチャー６の有する傾き抑制機能によって、支持軸５２の傾きを抑制することができる。従って、排水の流路を開状態としたときに栓蓋５３に傾きが生じてしまうことをより確実に防止でき、良好な美観を得ることができる。また、排水の流路の開放時において、被シール部位（設計上パッキン部５３Ｂが接触する部位）の中心と栓蓋５３の中心軸との軸ずれが生じてしまうことを効果的に抑制できる。これにより、排水の流路を閉状態としたときに、被シール部位に対し栓蓋５３（パッキン部５３Ｂ）をより確実に接触させることができ、良好な水密性を得ることができる。
【００７１】
さらに、少なくとも排水の流路を開放した状態において、空間９の面積は、通水用の孔部６１Ａの最大面積以下となるように構成されている。すなわち、排水の流路を開放した状態において、仮に空間９が形成された場合であっても、空間９の面積は、異物捕集の阻害とならない程度に十分に小さなものとなるように構成されている。これにより、異物の捕集というヘアキャッチャー６の機能を十分に効果的に発揮させることができる。
【００７２】
加えて、持ち手部６４を利用することで、ヘアキャッチャー６の取外しをより容易に行うことができる。特に本実施形態において、持ち手部６４は、ヘアキャッチャー６を取外す際のヘアキャッチャー６のスライド移動方向に沿って突出した形状をなしている。従って、持ち手部６４をその突出方向に沿って引くことで、自然とヘアキャッチャー６を取外すことができる。これにより、ヘアキャッチャー６の取外しをより一層容易に行うことができ、利便性を一段と向上させることができる。
【００７３】
また、栓蓋ユニット５を引き上げてヘアキャッチャー６を持ち上げることで、流路構成部７との間の距離を拡大する方向に持ち手部６４を移動させることができる。従って、ヘアキャッチャー６を取外す際に、持ち手部６４をつまみ持つことが一層容易に可能となり、利便性の更なる向上を図ることができる。
【００７４】
さらに、支持軸５２は、流路構成部７の内面に寄った位置に配置されており、流路構成部７の中心軸から外れた偏心状態となっている。従って、ヘアキャッチャー６をさほど移動させることなく、ヘアキャッチャー６を取外すことができる。これにより、より優れた利便性を実現することができる。
【００７５】
また、支持軸５２を流路構成部７の内面に寄った位置に配置することで、支持軸５２を極端に太くしたり、厚肉にしたりせずとも、前記空間９の面積を小さなものとすることができる。従って、支持軸５２を極端に太くすること等による流路構成部７における排水性能の低下を防止して、流路構成部７における排水性能を十分に良好なものとしつつ、異物の捕集というヘアキャッチャー６の機能を十分に効果的に発揮させることができる。
【００７６】
尚、上記実施形態の記載内容に限定されず、例えば次のように実施してもよい。勿論、以下において例示しない他の応用例、変更例も当然可能である。
【００７７】
（ａ）上記実施形態では、洗面ボール１００における垂下部１０２の内面によってヘアキャッチャー６の被載置部７Ａが構成されているが、被載置部は、流路構成部７における傾斜状又は段差状をなす部位であればよく、必ずしも洗面ボール１００に設けられていなくてもよい。従って、例えば、流路構成部７の内面において段差状をなす部位である、排水口部材２の鍔部２１を被載置部としてもよい。また、排水口部材２の内面に設けられた、上側に向けて徐々に内径が増大する傾斜状部分を被載置部としてもよい。勿論、洗面ボール１００や排水口部材２に対し段差状部位を形成し、当該段差状部位を被載置部としてもよい。
【００７８】
（ｂ）上記実施形態において、流路構成部７は、垂下部１０２、排水口部材２及び排水管３（本体管３１）によって構成されているが、流路構成部は、洗面ボール１００から流れる排水の流路を内部に有する筒状部であればよく、その構成部品は特に限定されるものではない。従って、例えば、垂下部１０２が比較的短かったり、又は、垂下部１０２が存在しなかったりする場合において、底面部１０１の表面に鍔部２１が表れるような構成では、流路構成部は、排水の流入口を構成する排水口部材２と、これに接続された排水管３とによって構成されることがある。また、排水口部材２を設けることなく、例えばねじ止めなどによって底面部１０１に対し排水管３が直接的に固定される場合、流路構成部は、排水管３と、底面部１０１のうち、自身の内部空間が排水管３の内部空間と連通する部位（例えば、垂下部１０２や排水口１０４を形成する部位など）とによって構成されることがある。勿論、漏水防止のためのシール部材などが、流路構成部の構成部となることもある。
【００７９】
（ｃ）上記実施形態において、ヘアキャッチャー６は、被載置部７Ａに載置されることで流路構成部７内にて支持された状態となっているが、ヘアキャッチャー６が被載置部７Ａ以外の部位によって支持されるように構成してもよい。例えば、支持軸５２に対し、ヘアキャッチャー６の背面中心側に向けて突出する突起部を設け、当該突起部にヘアキャッチャー６の背面中心部分が載置されることで、ヘアキャッチャー６を支持するように構成してもよい。但し、この場合には、支持軸５２の上下動に伴いヘアキャッチャー６も上下動する。そこで、ヘアキャッチャー６の上下動した場合であっても、ヘアキャッチャー６による異物の捕集効果が十分に発揮されるように、少なくともヘアキャッチャー６の配置範囲にてほぼ一定の内径を有するように流路構成部を構成し、かつ、ヘアキャッチャー６の外縁部分が流路構成部の内面に接近した状態で配置されるように構成してもよい。
【００８０】
尚、上記の構成においては、排水の流路を開状態としたときに、流路構成部における内径がほぼ一定の部位（以下、「同一内径部」と称す）の上側開口に対応する部位にヘアキャッチャー６が配置され、このヘアキャッチャー６をスライド移動させることで、流路構成部からヘアキャッチャー６を取外すことができるように構成してもよい。また、上記の構成において、排水の流路を開状態とした状態では、前記同一内径部にヘアキャッチャー６が配置され、ヘアキャッチャー６をスライド移動させることができないものとしつつ、排水の流路を開状態としたときの位置よりも若干だけ上方の位置に栓蓋５３を配置した状態では、栓蓋ユニット５によって、ヘアキャッチャー６が前記同一内径部の上側開口に対応する位置又は当該上側開口よりも上方の位置に持ち上げられ、ひいてはヘアキャッチャー６をスライド移動させることが可能となるように構成してもよい。
【００８１】
（ｄ）上記実施形態では、栓蓋ユニット５を引き上げてヘアキャッチャー６を持ち上げることにより、流路構成部７との間の距離を拡大する方向に持ち手部６４を移動させることが可能に構成されている。これに対し、流路構成部のうちヘアキャッチャー６の配置される部位の内径が一定である場合など、流路構成部の形状によっては、単に栓蓋ユニット５を引き上げてヘアキャッチャー６を持ち上げただけでは、流路構成部との間の距離を拡大する方向に持ち手部６４が移動しないことが生じ得る。そこで、このような構成では、栓蓋ユニット５を引き上げてヘアキャッチャー６を持ち上げた上で（例えばヘアキャッチャー６を流路構成部における同一内径部の上側開口まで持ち上げた上で）栓蓋ユニット５を傾けることにより、流路構成部との間の距離を拡大する方向に持ち手部６４が移動するように構成してもよい。このように構成した場合であっても、ヘアキャッチャー６を取外す際に、持ち手部６４をつまみ持つことが一層容易に可能となり、利便性の更なる向上を図ることができる。
【００８２】
（ｅ）上記実施形態において、栓蓋側駆動部４は、回動部４１の回動に伴い上下動する支持部４２によって栓蓋５３を上下動させるように構成されているが、栓蓋側駆動部は、栓蓋５３を上下動させる機能を有するものである限り、その構成は特に限定されるものではない。従って、栓蓋側駆動部を、回動部の外周から突出して、流路構成部７内に配置される棒状の支持部を有し、前記回動部の回動に伴い前記支持部が上下動することで、栓蓋５３を上下動させるものであってもよい。
【００８３】
また、栓蓋側駆動部を、流路構成部７内に配置された上下動可能な棒状の支持軸を有し、当該支持軸の上下動に伴い栓蓋５３を上下動させるものとしてもよい。尚、このような栓蓋側駆動部は、支持軸をロックするためのロック機構を備えることがあり、ロック機構によっては、栓蓋５３の最上方位置よりも僅かに下方に栓蓋５３が配置された状態で支持軸がロックされる場合がある。従って、このような栓蓋側駆動部を用いた場合において、「排水の流路を開状態としたときの位置に栓蓋５３を配置した状態」とあるのは、栓蓋５３をその最上方位置よりも僅かに下方に配置した状態ということができる。
【００８４】
（ｆ）上記実施形態において、ヘアキャッチャー６は平面視円形状をなしているが、ヘアキャッチャーの形状はこれに限定されるものではない。従って、平面視矩形状や平面視多角形（例えば、六角形）状のヘアキャッチャーを用いてもよい。また、孔部や持ち手部の形状に関しても適宜変更可能である。
【００８５】
（ｇ）上記実施形態において、支持軸５２は、流路構成部７の内面寄りに設けられているが、支持軸を流路構成部７の中心に設けることとしてもよい。また、支持軸の位置に応じて、ヘアキャッチャーにおける被挿通部の形成位置を適宜変更してもよい。支持軸を流路構成部７の中心に設ける場合には、被挿通部をヘアキャッチャーの中心に設けてもよい。
【００８６】
（ｈ）上記実施形態では、栓蓋５３（パッキン部５３Ｂ）が底面部１０１に接触することで、流路構成部７における排水の流路が閉鎖されるように構成されているが、栓蓋５３（パッキン部５３Ｂ）が排水口部材２に接触することで、排水の流路が閉鎖されるように構成してもよい。
【００８７】
（ｉ）上記実施形態では、槽体として洗面ボール１００を例示しているが、本発明の技術思想を適用可能な槽体は洗面ボールに限定されるものではない。従って、例えば、浴槽やキッチンの流し台などに対し本発明の技術思想を適用することとしてもよい。
【符号の説明】
【００８８】
１…排水栓装置、５…栓蓋ユニット、６…ヘアキャッチャー、７…流路構成部、７Ａ…被載置部、９…空間、５２…支持軸、５３…栓蓋、６１Ａ…孔部、６４…持ち手部、１００…洗面ボール（槽体）。
【図１】
2018168649.tif 000003
【図２】
2018168649.tif 000004
【図３】
2018168649.tif 000005
【図４】
2018168649.tif 000006
【図５】
2018168649.tif 000007